(57)【要約】【課題】内容物の取出口の開閉操作が容易で、特に取出口を素早く閉じることができて内容物が過剰に排出されるのを防止することができ、又、取出口の開口面積を容易に調整して内容物の取出量を加減しやすい包装用袋を提供する。【解決手段】２枚の板状バネ８，９を密着するように組み付けて、その２枚の板状バネ８，９を外圧の無い状態で互いに密着して閉口状態を維持するようになすとともに、その２枚の板状バネ８，９の長手方向の両端を長手方向の中心側へ向って加圧したときに、その２枚の板状バネ８，９が湾曲して中間部を互いに離間することにより開口するようになし、さらに、その加圧を解除したときに再び２枚の板状バネ８，９が密着状態へ復元するようになした開閉具７を構成して、その開閉具７を袋本体１の内容物取出口４に取り付ける。【選択図】　　　　図１
2004026275.tif 000002
【特許請求の範囲】
【請求項１】
２枚の板状バネ８，９を密着するように組み付けて、その２枚の板状バネ８，９を外圧の無い状態で互いに密着して閉口状態を維持するようになすとともに、その２枚の板状バネ８，９の長手方向の両端を長手方向の中心側へ向って加圧したときに、その２枚の板状バネ８，９が湾曲して中間部を互いに離間することにより開口するようになし、さらに、その加圧を解除したときに再び２枚の板状バネ８，９が密着状態へ復元するようになした開閉具７を構成して、その開閉具７を袋本体１の内容物取出口４に取り付けたことを特徴とする包装用袋。
【発明の詳細な説明】
【０００１】
【発明の属する技術分野】
本発明は、粉粒体や流動体などを収納して、それら内容物を少しつづ取り出して使用可能とする包装用袋に関する。
【０００２】
【従来の技術】
この種の包装用袋は、内容物を取り出さないときに、その袋の取出口を閉じて置き、内容物を取り出すときだけ、その取出口を開く必要がある。すなわち、その取出口は開閉自在にする必要がある。そして、従来の袋では、その取出口を開閉自在とするためにチャックなどを用いている。
【０００３】
しかしながら、一般的に使用されているプラスチック製の袋開閉用チャックは、雌部材と雄部材を嵌合させて閉じるようになっており、雌部材と雄部材を嵌合させるには指で押圧する等の操作が必要で、又、開く場合も雌部材と雄部材を指で摘んで引き離す操作が必要なので、袋の開閉操作が極めて面倒であるという不満があった。特に、内容物を所望の量だけ取り出して、その取り出しを停止しようとしても、チャックを素早く閉じることができないので、内容物を過剰に排出してしまうという問題があった。また、取出口の開口面積を拡大したり縮小するという調整が困難なので、内容物を所望の量だけ取り出すのが困難であった。
【０００４】
【発明が解決しようとする課題】
本発明は、内容物の取出口の開閉操作が容易で、特に取出口を素早く閉じることができて内容物が過剰に排出されるのを防止することができ、又、取出口の開口面積を容易に調整して内容物の取出量を加減しやすい包装用袋の提供を課題とする。
【０００５】
【課題を解決するための手段】
上記課題を解決するために、本発明の包装用袋は、２枚の板状バネ８，９を密着するように組み付けて、その２枚の板状バネ８，９を外圧の無い状態で互いに密着して閉口状態を維持するようになすとともに、その２枚の板状バネ８，９の長手方向の両端を長手方向の中心側へ向って加圧したときに、その２枚の板状バネ８，９が湾曲して中間部を互いに離間することにより開口するようになし、さらに、その加圧を解除したときに再び２枚の板状バネ８，９が密着状態へ復元するようになした開閉具７を構成して、その開閉具７を袋本体１の内容物取出口４に取り付けたことを特徴とする、という構成にしたものである。
【０００６】
【発明の実施の形態】
以下、図を用いて本発明の実施の形態について説明する。まず、袋本体１はプラスチックシート等により製造され、粉粒体や流動体などを収納する内容物収納スペース２を有し、その周囲はシールされている。図中、符号３がシール部を示している。その内容物収納スペース２は細幅の取出口４を介して開封スペース５と開通している。なお、開封スペース５も周囲はシールされているが、袋本体１の側縁部に設けた切り口６から袋本体１を横断するように切断することによって開口可能となっている。
【０００７】
取出口４の中間部には開閉具７を取り付けている。この開閉具７は、図２に示すように、２枚の板状バネ８，９によって構成されている。すなわち、この開閉具７は、図２のＡに示すように、２枚の板状バネ８，９を密着するように組み付けて、その２枚の板状バネ８，９を外圧の無い状態で互いに密着状態を維持する（この状態が閉口状態となる）ようになすとともに、図２のＢに示すように、その２枚の板状バネ８，９の長手方向の両端を長手方向の中心側へ向って加圧したときに、その２枚の板状バネ８，９が湾曲して中間部を互いに離間する（この状態が開口状態となる）ようになし、さらに、その加圧を解除したときに再び２枚の板状バネ８，９が密着状態へ復元可能となるように構成されている。
【０００８】
なお、図２に示すように、板状バネ８，９の一方の密着面に凸部１０を形成するとともに、他方の密着面に凹部１１を形成して、密着状態で凸部１０と凹部１１が嵌合するようになし、又、２枚の板状バネ８，９を湾曲しやすくするために、それぞれの長手方向の中間部に切込み１２，１３を設けることも可能である。
この板状バネ８，９の素材には弾性を有する素材、例えばプラスチックや金属等を使用可能である。
【０００９】
図１に示すように、取出口４における開閉具７を設置した個所の外側シール部３には指を差し込み可能なサイズの孔１４，１５を穿設している。すなわち、この孔１４，１５に２本の指を挿入して開閉具７の２枚の板状バネ８，９の両端を加圧操作できるようにしている。なお、図４に示すように、孔１４，１５の代わりに袋本体１の側縁へ開口する切欠凹部１６，１７を設けることも可能である。
【００１０】
また、取出口４の出口には、その出口を開閉自在とするチャック１８を取り付けることができる。このチャック１８は、図３に示すように、２枚のプラスチックシート製の雄部材１９と雌部材２０によって構成され、雄部材１９の突起部２１を雌部材２０の溝部２２に嵌合させれば閉じた状態となり、その突起部２１を溝部２２から脱出させれば開いた状態となるように構成されている。
【００１１】
内容物収納スペース２から粉粒体や流動体などの内容物２３を取り出すには、まず、上記の開封スペース５を開口し、チャック１８も開いた状態とする。そして、孔１４，１５に指を挿入して開閉具７の板状バネ８，９の両端を２本の指で挟んだ状態とし、その２本の指で板状バネ８，９を長手方向の中心側へ加圧する。これにより上記のように開閉具７が開口して取出口４も開口状態となるので、袋本体１の取出口４を下向きにすれば内容物２３が落下して取り出せることになる。そして、内容物２３の取り出しを停止したい場合は、指による加圧操作を止めればよい。これにより板状バネ８，９が復元して開閉具７が自動的に閉じることになる。
【００１２】
【発明の効果】
本発明の包装用袋は、指で板状バネ８，９の両端を加圧するだけで内容物の取出口４を開口することができ、又、その加圧を止めることにより取出口４を閉口できるので、取出口４の開閉操作がチャック等に比べて頗る容易である。特に、指による加圧を止めれば、板状バネ８，９が復元して開閉具７が自動的に閉じるので、その取出口４を閉じるのに時間がかからず、内容物が過剰に排出されるのを防止することができる。また、指により板状バネ８，９を加圧する場合に、その指の力加減で板状バネ８，９の湾曲度を変化させて取出口４の開口面積を調整することができるので、内容物の取出量を加減しやすい。
【図面の簡単な説明】
【図１】袋全体の断面図である。
【図２】開閉具の開閉状態を示す斜視図である。
【図３】チャックの断面図である。
【図４】袋全体の断面図である。
【符号の説明】
１　袋本体
２　内容物収納スペース
３　シール部
４　取出口
５　開封スペース
６　切り口
７　開閉具
８　板状バネ
９　板状バネ
１０　凸部
１１　凹部
１２　切込み
１３　切込み
１４　孔
１５　孔
１６　切欠凹部
１７　切欠凹部
１８　チャック
１９　雄部材
２０　雌部材
２１　突起部
２２　溝部
２３　内容物
【図１】
2004026275.tif 000003
【図２】
2004026275.tif 000004
【図３】
2004026275.tif 000005
【図４】
2004026275.tif 000006